【手続補正書】
【提出日】平成19年8月27日(2007.8.27)
【手続補正１】
【補正対象書類名】特許請求の範囲
【補正対象項目名】全文
【補正方法】変更
【補正の内容】
【特許請求の範囲】
【請求項１】
携帯通信装置におけるメモリの所定領域をサービス提供サーバに割り当てる領域割当部と；
少なくとも前記サービス提供サーバの所定領域を特定する文字列を，第１鍵を暗号鍵として暗号化し，これをサービス特定情報とする第１鍵暗号化部と；
前記サービス提供サーバの所定領域を特定する文字列に第２鍵を加え，さらにハッシュ値を生成する第２鍵ハッシュ部と；
前記サービス特定情報とハッシュ値とを前記サービス提供サーバに送信する管理送信部と；
を備えることを特徴とする，管理サーバ。
【請求項２】
コンピュータを，
携帯通信装置におけるメモリの所定領域をサービス提供サーバに割り当てる領域割当部と；
少なくとも前記サービス提供サーバの所定領域を特定する文字列を，第１鍵を暗号鍵として暗号化し，これをサービス特定情報とする第１鍵暗号化部と；
前記サービス提供サーバの所定領域を特定する文字列に第２鍵を加え，さらにハッシュ値を生成する第２鍵ハッシュ部と；
前記サービス特定情報とハッシュ値とを前記サービス提供サーバに送信する管理送信部と；
して機能させるためのプログラム。
【請求項３】
携帯通信装置におけるメモリの所定領域をサービス提供サーバに割り当てる領域割当工程と；
少なくとも前記サービス提供サーバの所定領域を特定する文字列を，第１鍵を暗号鍵として暗号化し，これをサービス特定情報とする第１鍵暗号化工程と；
前記サービス提供サーバの所定領域を特定する文字列に第２鍵を加え，さらにハッシュ値を生成する第２鍵ハッシュ工程と；
前記サービス特定情報とハッシュ値とを前記サービス提供サーバに送信する管理送信工程と；
を含むことを特徴とする，情報暗号化方法。
【請求項４】
少なくとも，携帯通信装置におけるメモリの該サービス提供サーバに割り当てられた所定領域を特定する文字列を，第１鍵を暗号鍵として暗号化したサービス特定情報と，少なくとも該サービス提供サーバの所定領域を特定する文字列に第２鍵を加えて生成されたハッシュ値とを，管理サーバから受信するサービス提供受信部と；
少なくとも前記所定領域内の所定部分領域を特定する文字列を，前記ハッシュ値を暗号鍵として暗号化し，これを部分特定情報とするハッシュ暗号化部と；
少なくとも前記サービス特定情報と部分特定情報とを，前記携帯通信装置と通信する情報処理装置に送信するサービス提供送信部と；
を備えることを特徴とする，サービス提供サーバ。
【請求項５】
コンテンツを生成するコンテンツ生成部と；
前記コンテンツが画面に出力される際のフォーマットまたは前記コンテンツのデータ構造を少なくとも規定する画面出力情報を生成する出力情報生成部と；
をさらに備え，
前記サービス提供送信部は，前記画面出力情報，サービス特定情報，および，部分特定情報を前記コンテンツに埋め込み，該コンテンツを前記情報処理装置に送信することを特徴とする，請求項４に記載のサービス提供サーバ。
【請求項６】
コンピュータを，
少なくとも，携帯通信装置におけるメモリの該サービス提供サーバに割り当てられた所定領域を特定する文字列を，第１鍵を暗号鍵として暗号化したサービス特定情報と，少なくとも該サービス提供サーバの所定領域を特定する文字列に第２鍵を加えて生成されたハッシュ値とを，管理サーバから受信するサービス提供受信部と；
少なくとも前記所定領域内の所定部分領域を特定する文字列を，前記ハッシュ値を暗号鍵として暗号化し，これを部分特定情報とするハッシュ暗号化部と；
少なくとも前記サービス特定情報と部分特定情報とを，前記携帯通信装置と通信する情報処理装置に送信するサービス提供送信部と；
して機能させるためのプログラム。
【請求項７】
少なくとも，携帯通信装置におけるメモリの該サービス提供サーバに割り当てられた所定領域を特定する文字列を，第１鍵を暗号鍵として暗号化したサービス特定情報と，少なくとも該サービス提供サーバの所定領域を特定する文字列に第２鍵を加えて生成されたハッシュ値とを，管理サーバから受信するサービス提供受信工程と；
少なくとも前記所定領域内の所定部分領域を特定する文字列を，前記ハッシュ値を暗号鍵として暗号化し，これを部分特定情報とするハッシュ暗号化工程と；
少なくとも前記サービス特定情報と部分特定情報とを，前記携帯通信装置と通信する情報処理装置に送信するサービス提供送信工程と；
を含むことを特徴とする，情報暗号化方法。
【請求項８】
少なくとも，携帯通信装置におけるメモリの該サービス提供サーバに割り当てられた所定領域を特定する文字列を，第１鍵を暗号鍵として暗号化したサービス特定情報と，
前記サービス提供サーバの所定領域を特定する文字列に第２鍵を加えて生成されたハッシュ値を暗号鍵として，少なくとも前記所定領域内の所定部分領域を特定する文字列を暗号化した部分特定情報と，
をサービス提供サーバから受信する情報処理受信部と；
前記サービス特定情報と部分特定情報とを復号する情報復号部と；
前記復号した結果から所定領域と所定部分領域とを特定し，前記携帯通信装置の前記所定部分領域に対してアクセス処理を実行するするアクセス処理部と；
を備えることを特徴とする，情報処理装置。
【請求項９】
前記情報復号部は，前記管理サーバおよび該情報処理装置が有する前記第１鍵と第２鍵のみを利用して復号することを特徴とする，請求項８に記載の情報処理装置。
【請求項１０】
前記情報復号部は，
前記サービス特定情報を，第１鍵を復号鍵として復号し，前記サービス提供サーバの所定領域を特定し，
前記部分特定情報を，前記復号した結果に第２鍵を加えて生成されたハッシュ値を復号鍵として復号し，前記所定部分領域を特定することを特徴とする，請求項９に記載の情報処理装置。
【請求項１１】
前記情報処理受信部は，前記サービス特定情報と部分特定情報とともに，コンテンツが画面に出力される際のフォーマットまたは前記コンテンツのデータ構造を少なくとも規定する画面出力情報とを含むコンテンツを受信し，
前記コンテンツを受信した後，前記画面出力情報に基づいて該コンテンツを画面に出力するブラウザをさらに備えることを特徴とする，請求項８に記載の情報処理装置。
【請求項１２】
前記コンテンツは，マークアップ言語で記述されたＷｅｂページであって，前記画面出力情報，サービス特定情報，および，部分特定情報は，タグで識別される情報であることを特徴とする，請求項１１に記載の情報処理装置。
【請求項１３】
前記コンテンツを記憶するコンテンツ記憶部をさらに備えること特徴とする，請求項１１に記載の情報処理装置。
【請求項１４】
前記アクセス処理は，前記携帯通信装置の所定部分領域からデータを読み込む処理または前記所定部分領域にデータを書込む処理のうち少なくともいずれか一方の処理であることを特徴とする，請求項８に記載の情報処理装置。
【請求項１５】
前記アクセス処理は，近距離無線規格による無線通信により行われることを特徴とする，請求項８に記載の情報処理装置。
【請求項１６】
前記携帯通信装置に対するアクセス処理の結果を画面に表示する結果表示部をさらに備えることを特徴とする，請求項８に記載の情報処理装置。
【請求項１７】
コンピュータを，
少なくとも，携帯通信装置におけるメモリの該サービス提供サーバに割り当てられた所定領域を特定する文字列を，第１鍵を暗号鍵として暗号化したサービス特定情報と，
前記サービス提供サーバの所定領域を特定する文字列に第２鍵を加えて生成されたハッシュ値を暗号鍵として，少なくとも前記所定領域内の所定部分領域を特定する文字列を暗号化した部分特定情報と，
をサービス提供サーバから受信する情報処理受信部と；
前記サービス特定情報と部分特定情報とを復号する情報復号部と；
前記復号した結果から所定領域と所定部分領域とを特定し，前記携帯通信装置の前記所定部分領域に対してアクセス処理を実行するするアクセス処理部と；
して機能させるためのプログラム。
【請求項１８】
少なくとも，携帯通信装置におけるメモリの該サービス提供サーバに割り当てられた所定領域を特定する文字列を，第１鍵を暗号鍵として暗号化したサービス特定情報と，
前記サービス提供サーバの所定領域を特定する文字列に第２鍵を加えて生成されたハッシュ値を暗号鍵として，少なくとも前記所定領域内の所定部分領域を特定する文字列を暗号化した部分特定情報と，
をサービス提供サーバから受信する情報処理受信工程と；
前記サービス特定情報と部分特定情報とを復号する情報復号工程と；
前記復号した結果から所定領域と所定部分領域とを特定し，前記携帯通信装置の前記所定部分領域に対してアクセス処理を実行するするアクセス処理工程と；
を含むことを特徴とする，情報暗号化方法。
【請求項１９】
携帯通信装置と，前記携帯通信装置におけるメモリの所定領域をサービス提供サーバに割り当て，前記サービス提供サーバの所定領域を特定するサービス特定情報を生成する管理サーバと，前記所定領域内の所定部分領域を特定する部分特定情報を生成するサービス提供サーバと，前記サービス特定情報と部分特定情報とに基づいて，前記携帯通信装置と通信する情報処理装置とを含んで構成される情報暗号化システムであって：
前記管理サーバは，
少なくとも前記サービス提供サーバの所定領域を特定する文字列を，第１鍵を暗号鍵として暗号化し，これをサービス特定情報とする第１鍵暗号化部と；
前記サービス提供サーバの所定領域を特定する文字列に第２鍵を加え，さらにハッシュ値を生成する第２鍵ハッシュ部と；
前記サービス特定情報とハッシュ値とを前記サービス提供サーバに送信する管理送信部と；
を備え，
前記サービス提供サーバは，
前記管理サーバから前記サービス特定情報とハッシュ値とを受信するサービス提供受信部と；
少なくとも前記所定領域内の所定部分領域を特定する文字列を，前記ハッシュ値を暗号鍵として暗号化し，これを部分特定情報とするハッシュ暗号化部と；
前記サービス特定情報と部分特定情報とを前記情報処理装置に送信するサービス提供送信部と；
を備え，
前記情報処理装置は，
前記サービス提供サーバから前記サービス特定情報と部分特定情報とを受信する情報処理受信部と；
前記サービス特定情報と部分特定情報とを，前記管理サーバおよび該情報処理装置のみが有する前記第１鍵と第２鍵のみを利用して復号する情報復号部と；
前記復号した結果から所定領域と所定部分領域とを特定し，前記携帯通信装置の前記所定部分領域に対してアクセス処理を実行するアクセス処理部と；
を備えることを特徴とする，情報暗号化システム。